(57)【要約】【課題】ハタキ掛けと塵埃の吸引とを同時に効率良く行うことが可能な電気掃除機用吸込ノズルを提供する。【解決手段】本発明に係る電気掃除機用吸込ノズル８０は、先端が拡がり底側が狭まった略すり鉢形状の漏斗部３２を有している。また、漏斗部３２の内側から延びたハタキ部３８を有している。このため、ハタキ部３８のハタキ掛けによって落下した塵埃は直ちに漏斗部３２によって吸引捕集され、広範囲に舞い散ることがない。また、本発明に係る電気掃除機用吸込ノズル８０の持ち手部３０とホース部２０とは十分な長さを備えているため、掃除箇所が高所の場合でも電気掃除機１０を持ち上げることなくハタキ掛けを行うことができる。【選択図】図１
2014188133.tif 000002
【特許請求の範囲】
【請求項１】
電気掃除機の吸込管に取り付ける電気掃除機用吸込ノズルであって、
前記吸込管に取り付け可能なホース部と、
前記ホース部と連通する管状の持ち手部と、
前記持ち手部の吸込口側に位置するとともに先側が拡がり、且つ変形可能な漏斗部と、
一端が前記漏斗部と前記持ち手部との境界部近傍に設置された弾性体と、
前記弾性体の自由端側に設置されるハタキ体と、
を有することを特徴とする電気掃除機用吸込ノズル。
【請求項２】
持ち手部は漏斗部側の内径が細く形成されていることを特徴とする請求項１記載の電気掃除機用吸込ノズル。
【請求項３】
持ち手部を振動させることでハタキ体が大きく振れ、これによりハタキ掛けが行われることを特徴とする請求項１又は請求項２に記載の電気掃除機用吸込ノズル。
【発明の詳細な説明】
【技術分野】
【０００１】
本発明は、電気掃除機の吸込管に取り付けて使用する電気掃除機用吸込ノズルに関するものである。
【背景技術】
【０００２】
壁面上部や棚の上等の塵埃をハタキで叩いて掃除するハタキ掛けは古くから行われている掃除方法である。しかしながら、従来のハタキ掛けは塵埃が空気中に舞い散るため、ハタキ掛けをした後に床面の清掃が必要な他、舞い散った塵埃を人が吸い込むなどの問題点があった。この点、下記［特許文献１］に開示された発明は、ハタキ部を超極細繊維の束で構成し、この超極細繊維に生じる静電気で塵埃を捕集するとともに、捕集した塵埃を電気掃除機に設置されたハタキ浄化ユニットにて吸引回収する。このため、ハタキ掛けによる塵埃の飛散をある程度低減することができる。
【先行技術文献】
【特許文献】
【０００３】
【特許文献１】特開２００９−１８３６２２号公報
【発明の概要】
【発明が解決しようとする課題】
【０００４】
しかしながら、静電気による塵埃の捕集能力には限界があり、塵埃の飛散を完全に防止することは出来ない。この問題の解決策として、電気掃除機の吸込口を近接させながらハタキ掛けを行うという手法が考えられる。しかしながら、電気掃除機の吸込口は比較的小さく、広範囲に飛散した塵埃を効率良く吸引出来ないという問題点がある。また、一般的な電気掃除機の吸込管は高所のハタキ掛けに対して長さが不十分であるという問題点がある。
【０００５】
本発明は上記事情に鑑みてなされたものであり、ハタキ掛けと塵埃の吸引とを同時に効率良く行うことが可能な電気掃除機用吸込ノズルを提供することを目的とする。
【課題を解決するための手段】
【０００６】
本発明は、
（１）電気掃除機１０の吸込管１２に取り付ける電気掃除機用吸込ノズルであって、前記吸込管１２に取り付け可能なホース部２０と、前記ホース部２０と連通する管状の持ち手部３０と、前記持ち手部３０の吸込口側に位置するとともに先側が拡がり且つ変形可能な漏斗部３２と、一端が前記漏斗部３２と前記持ち手部３０との境界部近傍に設置された弾性体３４と、前記弾性体３４の自由端側に設置されるハタキ体３６と、を有することを特徴とする電気掃除機用吸込ノズル８０を提供することにより、上記課題を解決する。
（２）持ち手部３０は漏斗部側（先部３０ａ側）の内径が細く形成されていることを特徴とする上記（１）記載の電気掃除機用吸込ノズル８０を提供することにより、上記課題を解決する。
（３）持ち手部３０を振動させることでハタキ体３６が大きく振れ、これによりハタキ掛けが行われることを特徴とする上記（１）又は（２）に記載の電気掃除機用吸込ノズル８０を提供することにより、上記課題を解決する。
【発明の効果】
【０００７】
本発明に係る電気掃除機用吸込ノズルは、吸込口側が拡がった漏斗部と、この漏斗部の底部から延びたハタキ部と、を有している。このため、ハタキ掛けによって落下した塵埃を漏斗部で直ちに吸引捕集することができる。これにより、塵埃の飛散を最小限に抑えることが可能となり、ハタキ掛け後の床面の清掃が不要となる他、人による塵埃の吸引を防止することができる。さらに、本発明に係る電気掃除機用吸込ノズルの漏斗部は変形可能なため、ハタキ掛けを行う掃除箇所に沿って変形することができる。これにより、塵埃を漏れなく吸引捕集することができる。
【図面の簡単な説明】
【０００８】
【図１】本発明に係る電気掃除機用吸込ノズルを示す図である。
【図２】本発明に係る電気掃除機用吸込ノズルの使用状態を示す図である。
【図３】本発明に係る電気掃除機用吸込ノズルの漏斗部の例を示す図である。
【図４】漏斗部を部分的に切り欠いた模式断面図である。
【図５】固定部の配置の例を示す図である。
【図６】漏斗部の変形を示す図である。
【発明を実施するための形態】
【０００９】
本発明に係る電気掃除機用吸込ノズルの実施の形態について図面に基づいて説明する。図１、図２に示す電気掃除機用吸込ノズル８０は、電気掃除機１０の吸込管１２に取り付けるものであり、ホース部２０と、このホース部２０と連通する持ち手部３０と、この持ち手部３０の吸込口側に位置する漏斗部３２と、漏斗部３２に設置されるハタキ部３８と、を有している。
【００１０】
ホース部２０は電気掃除機１０の吸込管１２と連通して電気掃除機１０の吸引力を持ち手部３０側に伝達するものであり、その一端には吸込管１２の管端に連結可能な接続管２２を有している。また、ホース部２０は自由に曲げることが可能であり、その構造としては例えば電気掃除機１０の装備品である付属ホース１４の蛇腹構造が挙げられる。
【００１１】
持ち手部３０は電気掃除機１０の吸引力を漏斗部３２に伝達する所定の長さの管状体であり、使用者は基本的にこの持ち手部３０を持ってハタキ掛け等を行う。尚、持ち手部３０は漏斗部３２側（先部３０ａ側）の内径を細く狭めて形成することが好ましい。この構成によれば、内径の細い先部３０ａにおいてベンチュリ効果による流速の増加が生じ、漏斗部３２において高い吸引力を維持することができる。
【００１２】
漏斗部３２は、先端側が拡がり持ち手部３０側（先部３０ａ側）が狭まった略すり鉢形状を有している。また、漏斗部３２は、容易に変形が可能なゴム、シリコンゴム、ビニール等の軟質な合成樹脂材料にて形成される。ただし、漏斗部３２の持ち手部３０側（底側）は電気掃除機１０の吸引力により潰れて吸込み口を閉塞しないよう、ある程度の硬度が必要である。尚、漏斗部３２として特に好ましい形態としては、軟質な合成樹脂材料を用いるとともに先端に向かうにつれ徐々に肉厚を薄くし、先側では変形を可能とすると同時に、底側では変形を不可としたものが挙げられる。さらに、漏斗部３２の底側に補強部材等を設置して変形を防止するようにしても良い。
【００１３】
また、漏斗部３２の形状は図１、図２に示すような単純な漏斗形状のものの他、図３（ａ）に示すように、吸込口が比較的小径で狭い箇所のハタキ掛けに適したものや、図３（ｂ）に示すように、吸込口が幅広で広範囲の壁面に対するハタキ掛けに適したものなど、如何なる形状としても良い。尚、漏斗部３２は持ち手部３０と一体的に成形しても良いし、個別に成形しても良い。漏斗部３２と持ち手部３０とを個別に成形する場合、漏斗部３２と持ち手部３０とを着脱可能とし、用途に応じて形状及びハタキ部３８の本数の異なる漏斗部３２を適宜選択し付替えて使用するようにしても良い。
【００１４】
そして漏斗部３２には、弾性体３４とハタキ体３６とで構成されるハタキ部３８が設置される。このハタキ部３８を構成する弾性体３４は、ハタキ体３６と漏斗部３２（もしくは持ち手部３０）とを繋ぐものであり、弾性を有する所定の長さの金属もしくは合成樹脂の棒状体で形成することが好ましい。そして、この弾性体３４の一端は漏斗部３２と持ち手部３０との境界部近傍に固定される。このときの固定箇所は、漏斗部３２を部分的に切り欠いた図４の模式断面図に示すように、弾性体３４の生え際と漏斗部３２の底端とが略同一の位置となるようにすることが好ましい。尚、弾性体３４の固定部２４は図４の例のように、特定の箇所に集めて形成しても良いし、図５（ａ）に示すように等間隔に分散して配置しても良い。また、任意の間隔で分散して配置しても良い。さらに、固定部２４を多数形成して、使用者が任意の固定部２４にハタキ部３８を設置できるようにしても良い。この固定部２４を多数形成する構成においては、図５（ｂ）に示すように、分散して配置した固定部２４と特定の箇所に集めて形成した固定部２４とを双方設け、使用者が適宜選択できるようにしても良い。
【００１５】
弾性体３４の他端である自由端側には、ハタキ部３８を構成するハタキ体３６が固定される。このハタキ体３６に特に限定は無く、繊維束、紐束、布、スポンジ体等、如何なるものを用いても良い。また、材質に関しても天然繊維、合成繊維等、如何なるものを用いても良い。ただし、塵埃がハタキ体３６に付着しないよう、ハタキ体３６には静電気の発生しにくい素材を用いるとともに、毛足は比較的短いものを用いることが好ましい。
【００１６】
また、漏斗部３２に設置するハタキ部３８の本数にも特に限定は無く、１つでも良いし複数でも良い。また、ハタキ部３８を着脱可能にして、ハタキ部３８の設置個数を必要に応じて適宜変更可能としても良い。
【００１７】
次に、電気掃除機用吸込ノズル８０の使用方法を説明する。先ず、既存の電気掃除機１０に付属ホース１４と吸込管１２とを連結する。このとき、電気掃除機１０に付属する既存の吸込ノズルは取り外す。次に、吸込管１２の吸い込み口に、ホース部２０の接続管２２を連結する。これにより、電気掃除機１０に電気掃除機用吸込ノズル８０が設置される。
【００１８】
次に、電気掃除機１０の電源をオンする。これにより、電気掃除機１０は動作して、付属ホース１４、吸込管１２、ホース部２０、持ち手部３０を介して漏斗部３２の吸込口から外気を吸引する。
【００１９】
次に、使用者が持ち手部３０を持って掃除箇所のハタキ掛けを行う。このハタキ掛けは、使用者が持ち手部３０を大きく振って通常通りに行っても良いが、弾性体３４及びハタキ体３６相互の重量バランスを最適化して、使用者が持ち手部３０をわずかに振る（振動させる）ことで、ハタキ体３６に振り子状のハタキ掛け動作が生じるようにし、これによりハタキ掛けを行うことが好ましい。尚、持ち手部３０とホース部２０とは十分な長さを備えているため、図２に示すように、掃除箇所が高所の場合でも電気掃除機１０を持ち上げることなくハタキ掛けを行うことができる。
【００２０】
このハタキ掛けにより、掃除箇所に付着していた塵埃は落下する。落下した塵埃は漏斗部３２で直ちに吸引され、持ち手部３０、ホース部２０、吸込管１２、付属ホース１４を通って電気掃除機１０内のゴミフィルタに捕集される。
【００２１】
このとき、本発明に係る電気掃除機用吸込ノズル８０の漏斗部３２は変形が可能なため、漏斗部３２を掃除箇所に押し付けることで漏斗部３２が掃除箇所に沿って変形し掃除箇所にフィットする。このため、漏斗部３２と掃除箇所との間に隙間が生じず、塵埃を漏らすことなく吸引することができる。また、漏斗部３２を隙間等に挿し入れることが可能となり、従来ハタキ掛けが困難であった狭い箇所に対してもハタキ掛けを行うことができる。尚、図６（ａ）は、漏斗部３２を壁面に押し付けた例を示す図である。また、図６（ｂ）は、漏斗部３２をコーナー部に押し付けた例を示す図である。
【００２２】
以上のように、本発明に係る電気掃除機用吸込ノズル８０は、先端が拡がり底側が狭まった略すり鉢形状の漏斗部３２を有している。また、漏斗部３２の内側から延びたハタキ部３８を有している。このため、ハタキ部３８のハタキ掛けによって落下した塵埃は直ちに漏斗部３２によって吸引捕集され、広範囲に舞い散ることがない。また、本発明に係る電気掃除機用吸込ノズル８０の持ち手部３０とホース部２０とは十分な長さを備えているため、掃除箇所が高所の場合でも電気掃除機１０を持ち上げることなくハタキ掛けを行うことができる。このように、本発明に係る電気掃除機用吸込ノズル８０によれば、ハタキ部３８と漏斗部３２とを近接配置することで、ハタキ掛けと塵埃の吸引とを同時に効率良く行うことができる。これにより、塵埃の飛散を最小限に抑えることができ、ハタキ掛け後の床面の清掃が不要となる他、人による塵埃の吸引を防止することができる。
【００２３】
尚、本例で示した電気掃除機用吸込ノズル８０の構成は一例であり、各部材の形状、寸法等は上記のものに限定されるものではない。さらに、本発明は本発明の要旨を逸脱しない範囲で変更して実施することが可能である。
【符号の説明】
【００２４】
１０    電気掃除機
１２    吸込管
２０    ホース部
３０    持ち手部
３２    漏斗部
３４    弾性体
３６    ハタキ体
８０    電気掃除機用吸込ノズル
【図１】
2014188133.tif 000003
【図２】
2014188133.tif 000004
【図３】
2014188133.tif 000005
【図４】
2014188133.tif 000006
【図５】
2014188133.tif 000007
【図６】
2014188133.tif 000008